(57)【要約】      （修正有）【課題】小型かつ低コストで、魚の釣れる水深を精確にメモリすることができ、魚の生息領域の水深に到達すると自動的に音声でアラームし、釣り人に魚群の位置を知らせる釣り用リールのメモリ水深電子アラームを提供する。【解決手段】ボタン２は、一方の端部がハウジング１の取り付け穴１ａから突出し、他方の端部が第１の回路基板３に接続され、シングルチップマイコンが第１の回路基板に接続され、ボタン、第１の回路基板及びマイコンがハウジング内に固定された後に、カバー５を組み立て、バッテリ１３が第２の回路基板７に固定され、センサが第２の回路基板に接続され、第２の回路基板、バッテリ及びセンサはハウジング６内に取り付けられ、カバー９により密閉され、データ線１４が第２の回路基板と第１の回路基板とを接続し、ブザー１２が、第１の回路基板又は第２の回路基板に接続され、組み立てられる。【選択図】図１
0003222261.tif 000002
【実用新案登録請求の範囲】
【請求項１】
釣り用リールの回転を検知するための誘導磁石と、前記誘導磁石の回転を受信するセンサとを備える釣り用リールのメモリ水深電子アラームであって、
前記釣り用リールのメモリ水深電子アラームは、さらにハウジングＡ、ボタン、第１の回路基板、第２の回路基板、カバーＡ、ハウジングＢ、バッテリ、シングルチップマイコン、シールリング、カバーＢ及びブザーを備え、
前記ボタンは、その一方の端部が前記ハウジングＡに設けられた前記ボタンの取り付け穴に通して前記ハウジングＡから突出し、その他方の端部が前記第１の回路基板に接続され、
前記シングルチップマイコンが前記第１の回路基板に接続され、
前記ボタン、前記第１の回路基板及び前記シングルチップマイコンが前記ハウジングＡ内に固定された後に、前記カバーＡを前記ハウジングＡに組み立て、
前記バッテリが前記第２の回路基板に固定され、
前記センサが前記第２の回路基板に接続され、前記第２の回路基板、前記バッテリ及び前記センサはハウジングＢ内に取り付けられ、前記カバーＢによって前記ハウジングＢの開放側を密閉し、
前記第２の回路基板と前記第１の回路基板は、データ線によって接続し、
前記ブザーが、前記第１の回路基板又は前記第２の回路基板に接続され、それぞれ前記第１の回路基板又は前記第２の回路基板と共に前記ハウジングＡ又は前記ハウジングＢに組み立てられることを特徴とする釣り用リールのメモリ水深電子アラーム。
【請求項２】
さらにシールリングを備え、前記シールリングが、前記ハウジングＡ内に設けられたシール溝に装着され、
前記カバーＡが、前記シールリングを押圧して、ネジによってハウジングＡに固定されてアセンブリＡを形成することを特徴とする請求項１に記載の釣り用リールのメモリ水深電子アラーム。
【請求項３】
さらにシールリングを備え、前記シールリングが、前記ハウジングＢ内に設けられたシール溝に装着され、
前記カバーＢが、前記シールリングを押圧して、ネジによってハウジングＢに固定されてアセンブリＢを形成することを特徴とする請求項１に記載の釣り用リールのメモリ水深電子アラーム。
【請求項４】
前記ハウジングＢの形状は前記釣り用リールのワイヤホイールの端部側の形状と同じであり、
前記アセンブリＢはワイヤホイールカバーとして前記ワイヤホイールの端部側に取り付けられていることを特徴とする請求項３に記載の釣り用リールのメモリ水深電子アラーム。
【請求項５】
前記誘導磁石は、前記ワイヤホイールに又は前記ワイヤホイールと伝送関係を有する部品に配置されることを特徴とする請求項１〜４のいずれかに記載の釣り用リールのメモリ水深電子アラーム。
【請求項６】
前記バッテリは、コンデンサＣ（４）と並列接続されてシングルチップマイコンに電力を供給するためにシングルチップマイコンのＶＣＣ及びＶＳＳに接続され、
前記センサは、コンデンサＣ（１）、コンデンサＣ（２）、リードスイッチＳ（３）、リードスイッチＳ（４）と、を備え、
前記リードスイッチＳ（３）と前記コンデンサＣ（２）とは並列接続され、その一端が接地され、その他端が前記シングルチップマイコンのピン（９）に接続され、
前記リードスイッチＳ（４）と前記コンデンサＣ（１）とは並列接続され、その一端が接地され、その他端が前記シングルチップマイコンのピン（１０）に接続され、
前記センサが検知信号を受信して前記シングルチップマイコンに入力し、
前記シングルチップマイコンのピン（１５）とピン（１６）にそれぞれ接続されている２つのキーによって、前記シングルチップマイコンにコマンドを入力することを特徴とする請求項１〜４のいずれかに記載の釣り用リールのメモリ水深電子アラーム。
【考案の詳細な説明】
【技術分野】
【０００１】
本考案は、釣り具に関し、より詳しくは、釣り用リールに使用するメモリ水深電子アラームに関する。
【背景技術】
【０００２】
魚の生息領域は食物連鎖の変化とともに変化し、魚の種類が異なると生息領域の水深も異なる。通常的には、釣りで魚が釣れる水深を見つけた後、再び釣り糸の鉛が投出されるときには、釣り糸を精確に同じ水深に達することができるように繰り出して、正確に魚を見つけて、そして魚が釣れる確率を増やすことを望まれている。従来の釣り用リールの場合は、釣り人は通常釣り糸の色を覚えているか、又はそれをマークすることによって魚の生息領域の水深を推定して釣を行う、当該方法は魚を釣れる確率が低い。デジタル表示付きの釣り用リール（特許文献１）の場合は、魚の生息領域の水深をメモリすることができ、釣り人はLCDスクリーンに表示されている釣り糸の長さをメモリするだけで、メモリメーターに釣り糸を繰り出すたびに、魚を見つけることができ、同じ種類の魚を容易に釣れることができる。
【０００３】
しかしながら、デジタル表示付きの釣り用リールの場合は、次のような欠点を有し、先ず、釣り糸を繰り出している間に、即時に応答するために、ＬＣＤスクリーンに示されている釣り糸の長さに神経を集中して注目することが必要である。また、ＬＣＤスクリーンは、設置時にハウジング内に正確に位置決めされる必要があり、位置決めが不適切であると、画面が壊れて使用に影響を及ぼし、無駄が生じ、また使用中にＬＣＤスクリーンが損傷しやすくなる恐れがある。さらに、デジタル表示付きの釣り用リールを使用する場合には、その大きさが比較的に大きい、高コストの問題となっている。
【先行技術文献】
【特許文献】
【０００４】
【特許文献１】中国特許出願公開第ＣＮ  １０２０７７８１４Ａ号明細書
【考案の概要】
【考案が解決しようとする課題】
【０００５】
本考案は、上記した問題に着目してなされたものであり、ＬＣＤスクリーンを長期間に注目する必要がなく、小型かつ低コストで、魚を釣れる水深を精確にメモリすることができ、再び釣り糸を繰り出す際に、対象とする魚の生息領域の水深に到達すると自動的に音声でアラームし、釣り人に魚群の位置に達することを知らせる釣り用リールのメモリ水深電子アラームを提供することを目的とする。
【課題を解決するための手段】
【０００６】
上記の技術課題を解決するために、本考案は以下の構成によって把握される。
【０００７】
（１）上記課題を解決するための手段として、本考案に係る釣り用リールのメモリ水深電子アラームの一つの実施形態は、釣り用リールの回転を検知するための誘導磁石と、誘導磁石の回転を受信するセンサとを備え、さらにハウジングＡ、ボタン、第１の回路基板、第２の回路基板、カバーＡ、ハウジングＢ、バッテリ、シングルチップマイコン、カバーＢ及びブザーを備え、ボタンは、その一方の端部がハウジングＡに設けられたボタンの取り付け穴に挿入してハウジングＡから突出し、その他方の端部が第１の回路基板に接続され、シングルチップマイコンが第１の回路基板に接続され、ボタン、第１の回路基板及びシングルチップマイコンが、ハウジングＡ内に固定された後にカバーＡをハウジングＡに組み立て、バッテリが第２の回路基板に固定され、センサが第２の回路基板に接続され、第２の回路基板、バッテリ及びセンサはハウジングＢ内に取り付けられ、カバーＢによってハウジングＢの開放側を密閉し、第２の回路基板と第１の回路基板はデータ線によって接続し、ブザーが、第１の回路基板又は第２の回路基板に接続され、それぞれ第１の回路基板又は第２の回路基板と共にハウジングＡ又はハウジングＢに組み立てられる。
【０００８】
（２）上記課題を解決するための手段として、本考案の前記（１）に係る釣り用リールのメモリ水深電子アラームについて、好ましくは、さらに、シールリングを備え、前記シールリングが、前記ハウジングＡ内に設けられたシール溝に装着され、前記カバーＡが、前記シールリングを押圧して、ネジによってハウジングＡに固定されてアセンブリＡを形成する。
【０００９】
（３）上記課題を解決するための手段として、本考案の前記（１）に係る釣り用リールのメモリ水深電子アラームについて、好ましくは、前記シールリングが、前記ハウジングＢ内に設けられたシール溝に装着され、前記カバーＢが、前記シールリングを押圧して、ネジによってハウジングＢに固定されてアセンブリＢを形成する。
【００１０】
（４）上記課題を解決するための手段として、本考案に係る前記（３）に係る釣り用リールのメモリ水深電子アラームについて、好ましくは、前記ハウジングＢの形状は前記釣り用リールのワイヤホイールの端部側の形状と同じであり、前記アセンブリＢはリールカバーとして前記ワイヤホイールの端部側に取り付けられてスペースを節約し、釣り用リールをコンパクトにする。
【００１１】
（５）上記課題を解決するための手段として、本考案に係る（１）〜（３）のいずれかに係る釣り用リールのメモリ水深電子アラームについて、好ましくは、前記誘導磁石は、前記ワイヤホイールに又は前記ワイヤホイールと伝送関係を有する部品に配置される。
【考案の効果】
【００１２】
本考案によれば、ＬＣＤスクリーンを長期間に注目する必要がなく、魚を釣れる水深を精確にメモリすることができ、再び釣り糸を繰り出す際に、対象とする魚の生息領域の水深に到達すると自動的に音声でアラームし、釣り人に魚群の位置に達することを知らせる釣り用リールのメモリ水深電子アラームを提供することができる。本考案は簡単な構造で操作が便利になる、また、釣り用リールをコンパクトにすることができ、また低コストで製造することができる。
【図面の簡単な説明】
【００１３】
【図１】本考案に係る釣り用リールのメモリ水深電子アラームの分解斜視図である。
【図２】本考案に係る釣り用リールのメモリ水深電子アラームの組立後の概略図である。
【図３】本考案に係る釣り用リールのメモリ水深電子アラームを釣り用リールへ組み立てた後の概略図。
【図４】本考案に係る釣り用リールのメモリ水深電子アラームの動作原理図である。
【図５】本考案に係る釣り用リールのメモリ水深電子アラームの回路図である。
【考案を実施するための形態】
【００１４】
以下、本考案に係る好ましい実施形態に基づき、図面と共に詳細に説明する。これらは例示の目的で掲げたもので、これらにより本考案を限定するものではない。また、実施形態の説明の全体を通して同じ要素には同じ番号を付している。
【００１５】
図１に示すように、本考案の実施形態に係る釣り用リールのメモリ水深電子アラームは、釣り用リールの回転を検知するための誘導磁石２１と、誘導磁石２１の回転を受信するセンサ１６とを備え、誘導磁石２１がワイヤホイール１９に、又はワイヤホイール１９と伝送関係を有する部品に配置されることができる。本考案に係る釣り用リールのメモリ水深電子アラームは、さらにハウジングＡ１、ボタン２、第１の回路基板３、第２の回路基板７、カバーＡ５、ハウジングＢ６、バッテリ１３、シングルチップマイコン１７、シールリング４、カバーＢ９及びブザー１２を備え、ボタン２は、その一方の端部がハウジングＡ１に設けられたボタン２の取り付け穴１ａに通してハウジングＡ１から突出し、その他方の端部が第１の回路基板３に接続され、シングルチップマイコン１７が第１の回路基板３に接続され、ボタン２、第１の回路基板３及びシングルチップマイコン１７がハウジングＡ１内に固定された後に、カバーＡ５をハウジングＡ１に組み立て、シールリング４が、ハウジングＡ１内に設けられたシール溝に装着され、カバーＡ５が、シールリング４を押圧して、ネジ１５によってハウジングＡ１に固定されてアセンブリＡ３０を形成する。バッテリ１３が第２の回路基板７に固定され、センサ１６が第２の回路基板７に接続され、第２の回路基板７、バッテリ１３及びセンサ１６はハウジングＢ６内に取り付けられ、カバーＢ９によってハウジングＢ６の開放側を密閉し、第２の回路基板７と第１の回路基板３はデータ線１４によって接続される。シールリング８が、ハウジングＢ６内に設けられたシール溝に装着され、カバーＢ９が、シールリング８を押圧して、ネジ１１は、カバーＢ９のネジ穴９ｂとハウジングＢ６のネジ穴６ｂとを貫通して、カバーＢ９とハウジングＢ６とを固定してアセンブリＢ４０を形成する。ブザー１２が、第１の回路基板３に接続され、第１の回路基板３と共にハウジングＡ１に組み立てられ、又はブザー１２が、第２の回路基板７に接続され、第２の回路基板７と共にハウジングＢ６に組み立てられる。図１に示されたのはブザー１２が第２の回路基板７に接続されている場合である。ハウジングＢ６の形状は釣り用リールのワイヤホイール１９の端部側の形状と同じであり、ネジ１０は、カバーＢ９のネジ穴９ａとハウジングＢ６のネジ穴６ａとを貫通してワイヤホイールの端部側にアセンブリＢ４０を取り付けるとともに、ワイヤホイールカバーを兼ねるので、スペースを節約して釣り用リールを小型にすることができる。
【００１６】
バッテリ１３から電力が供給され、ボタン２が押されて回路がオンになると、シングルチップマイコン１７が電源オン信号を検出し、電源オンコマンドを受信し、データの分析及び処理を開始し、釣り用リールのメモリ水深電子アラームが動作を開始する。誘導磁石２１は釣り用リールのワイヤホイール１９に固定され、ワイヤホイール１９はワイヤホイールシャフト２０に固定されて釣り用リールのホルダ１８に装着され、誘導磁石２１の回転運動を駆動し、センサ１６は、この運動信号を受信してシングルチップマイコン１７に送信し、シングルチップマイコン１７は繰り出された釣り糸の長さをカウント、データ演算及びデータ解析を行い、そして、解析結果に応じて、繰り出された釣り糸の長さをメモリ水深として、メモリ水深送信命令をブザー１２に送信し、ブザー１２は、メモリ水深に達したことを示すアラームを鳴らすように命令される。
【００１７】
本考案の回路構成図は、図５に示すように、バッテリ１３は、コンデンサＣ４と並列接続され、シングルチップマイコン１７のＶＣＣ及びＶＳＳに接続されてシングルチップマイコン１７に電力を供給する。センサ１６は、コンデンサＣ１、コンデンサＣ２、リードスイッチＳ３、リードスイッチＳ４と、を備え、リードスイッチＳ３とコンデンサＣ２とは並列接続され、その一端が接地され、その他端がシングルチップマイコン１７のピン９に接続され、リードスイッチＳ４とコンデンサＣ１とは並列接続され、その一端が接地され、その他端が前記シングルチップマイコンのピン１０に接続され、センサ１６が検知信号を受信してシングルチップマイコン１７に入力する。具体的には、シングルチップマイコン１７のピン１５とピン１６にそれぞれ接続されている２つのキー２によって、シングルチップマイコン１７にコマンドを入力する。
【００１８】
本考案の釣り用リールのメモリ水深電子アラームは、一つのボタンしか有しない、このボタンはオン／オフスイッチであり、またメモリスイッチでもあり、シャットダウン操作を除き、ボタンを押すたびに、メモリ機能が1回作動して、そのときの釣り糸の長さがメモリされ、再び釣り糸の長さがメモリ水深に繰り出されると、アラームが自動的に鳴り、これによって、釣り人に魚群の位置に到達することを知らせることができる。
【００１９】
実際に釣りをするときに、目標位置まで釣り糸が繰り出され、すぐに釣り糸を止めることができない場合があり、つまり、アラームの音が停止しても釣り糸がしばらく続けて繰り出され、釣り糸の長さが実際の水深により長くなり、この場合には、リールを回転させて余分な釣り糸を繰り入れって、再びメモリ水深に達すると、アラームが自動的に鳴り、これによって、釣り人に魚群の位置に到達することを知らせることができる。
【００２０】
本考案の釣り用リールのメモリ水深電子アラームは、メモリ水深を随時に調整することができる。新しいメモリ水深設定が完了した時に、前のメモリ水深が自動的に取り消され、操作の便利性が優れている。
【００２１】
また、本考案の釣り用リールのメモリ水深電子アラームは、その構造が簡単で、シングルチップマイコンのメモリ要求が低く、小型のシングルチップマイコンが使用要件を満たすことができ、それによって材料コストを削減し、資源を節約し、環境を保護し、そして使用がより簡単で便利になる。
【００２２】
以上、実施形態を用いて本考案を説明したが、本考案の技術的範囲は前記実施形態に記載の範囲には限定されないことは言うまでもない。上記実施形態に、多様な変更又は改良を加えることが可能であることが当業者に明らかである。またその様な変更又は改良を加えた形態も本考案の技術的範囲に含まれ得ることが、実用新案登録請求の範囲の記載から明らかである。
【符号の説明】
【００２３】
１            ハウジングＡ
２            ボタン
３            第１の回路基板
４            シールリング
５            カバーＡ
６            ハウジングＢ
７            第２の回路基板
８            シールリング
９            カバーＢ
１０          ネジ
１１          ネジ
１２          ブザー
１３          バッテリ
１４          データ線
１５          ネジ
１６          センサ
１７          シングルチップマイコン
１８          ホルダ
１９          ワイヤホイール
２０          ワイヤホイールシャフト
２１          誘導磁石
【図１】
0003222261.tif 000003
【図２】
0003222261.tif 000004
【図３】
0003222261.tif 000005
【図４】
0003222261.tif 000006
【図５】
0003222261.tif 000007
【手続補正書】
【提出日】令和1年5月24日(2019.5.24)
【手続補正１】
【補正対象書類名】実用新案登録請求の範囲
【補正対象項目名】全文
【補正方法】変更
【補正の内容】
【実用新案登録請求の範囲】
【請求項１】
ワイヤホイールの回転を検知するための誘導磁石と、前記誘導磁石の回転を受信するセンサとを備える釣り用リールのメモリ水深電子アラームであって、
前記釣り用リールのメモリ水深電子アラームは、さらにハウジングＡ、ボタン、第１の回路基板、第２の回路基板、カバーＡ、ハウジングＢ、バッテリ、シングルチップマイコン、シールリング、カバーＢ及びブザーを備え、
前記ボタンは、その一方の端部が前記ハウジングＡに設けられた前記ボタンの取り付け穴に通して前記ハウジングＡから突出し、その他方の端部が前記第１の回路基板に接続され、
前記シングルチップマイコンが前記第１の回路基板に接続され、
前記ボタン、前記第１の回路基板及び前記シングルチップマイコンが前記ハウジングＡ内に固定された後に、前記カバーＡを前記ハウジングＡに組み立て、
前記バッテリが前記第２の回路基板に固定され、
前記センサが前記第２の回路基板に接続され、前記第２の回路基板、前記バッテリ及び前記センサはハウジングＢ内に取り付けられ、前記カバーＢによって前記ハウジングＢの開放側を密閉し、
前記第２の回路基板と前記第１の回路基板は、データ線によって接続し、
前記ブザーが、前記第１の回路基板又は前記第２の回路基板に接続され、それぞれ前記第１の回路基板又は前記第２の回路基板と共に前記ハウジングＡ又は前記ハウジングＢに組み立てられることを特徴とする釣り用リールのメモリ水深電子アラーム。
【請求項２】
さらにシールリングを備え、前記シールリングが、前記ハウジングＡ内に設けられたシール溝に装着され、
前記カバーＡが、前記シールリングを押圧して、ネジによってハウジングＡに固定されてアセンブリＡを形成することを特徴とする請求項１に記載の釣り用リールのメモリ水深電子アラーム。
【請求項３】
さらにシールリングを備え、前記シールリングが、前記ハウジングＢ内に設けられたシール溝に装着され、
前記カバーＢが、前記シールリングを押圧して、ネジによってハウジングＢに固定されてアセンブリＢを形成することを特徴とする請求項１に記載の釣り用リールのメモリ水深電子アラーム。
【請求項４】
前記ハウジングＢの形状は前記釣り用リールの前記ワイヤホイールの端部側の形状と同じであり、
前記アセンブリＢはワイヤホイールカバーとして前記ワイヤホイールの端部側に取り付けられていることを特徴とする請求項３に記載の釣り用リールのメモリ水深電子アラーム。
【請求項５】
前記誘導磁石は、前記ワイヤホイールに又は前記ワイヤホイールと伝送関係を有する部品に配置されることを特徴とする請求項１〜４のいずれかに記載の釣り用リールのメモリ水深電子アラーム。
【請求項６】
前記バッテリは、コンデンサＣ（４）と並列接続されてシングルチップマイコンに電力を供給するためにシングルチップマイコンのＶＣＣ及びＶＳＳに接続され、
前記センサは、コンデンサＣ（１）、コンデンサＣ（２）、リードスイッチＳ（３）、リードスイッチＳ（４）と、を備え、
前記リードスイッチＳ（３）と前記コンデンサＣ（２）とは並列接続され、その一端が接地され、その他端が前記シングルチップマイコンのピン（９）に接続され、
前記リードスイッチＳ（４）と前記コンデンサＣ（１）とは並列接続され、その一端が接地され、その他端が前記シングルチップマイコンのピン（１０）に接続され、
前記センサが検知信号を受信して前記シングルチップマイコンに入力し、
前記シングルチップマイコンのピン（１５）とピン（１６）にそれぞれ接続されている２つのキーによって、前記シングルチップマイコンにコマンドを入力することを特徴とする請求項１〜４のいずれかに記載の釣り用リールのメモリ水深電子アラーム。